(57)【特許請求の範囲】
【請求項１】
絶縁支持構造物の一端に操作装置を接続し、他端に前記操作装置により駆動する駆動連結部を収納した金属容器を接続し、
かつ、前記金属容器の一端に少なくとも前記駆動連結部に連動して通電部の接点が開閉される遮断部を収納した一の絶縁構造物と断路部を収納した他の絶縁構造物とを接続した複合型ガス絶縁開閉装置において、
前記絶縁支持構造物内に前記遮断部および前記断路部を駆動する絶縁棒を複数本配置する一方、
前記絶縁支持構造物の一端に接続された操作装置は、遮断部操作装置と断路部操作装置からなる
ことを特徴とする複合型ガス絶縁開閉装置。
【請求項２】
請求項１記載の複合型ガス絶縁開閉装置において、
前記絶縁棒のガイド用支持体を前記絶縁支持構造物内に配置したことを特徴とする複合型ガス絶縁開閉装置。
【発明の詳細な説明】
【０００１】
【発明の属する技術分野】
本発明は、絶縁性ガスを充填した容器内に、多数のスイッチ類を配置した電力用ガス絶縁開閉装置に係り、特に遮断器と主母線との間、遮断器と送電線との間等への設置に好適な、断路器や接地装置等から構成される複合型ガス絶縁開閉装置に関する。
【０００２】
【従来の技術】
気中変電所では一般に、母線や鉄塔の寿命は長く、開閉装置のリプレースの際に母線や鉄塔を交換することは少ない。従って、気中絶縁母線を有効に使用しつつ、開閉装置を高性能、高信頼性のものにリプレースするケースが多い。
【０００３】
複合型開閉装置はこのようなニーズに対応する装置である。そして、この種の装置として、絶縁支持構造物の一端に操作装置を接続し、他端に操作装置により駆動する駆動連結部を収納した金属容器を接続し、かつ、金属容器の一端に少なくとも二つ以上の、駆動連結部に連動して通電部の接点が開閉される遮断部、または断路部を収納した絶縁構造物を接続した複合型ガス絶縁開閉装置が考えられている。
【０００４】
図３は、この種の複合型ガス絶縁開閉装置を例示したものである。この図３に示す装置は、架台１に分岐構造（例えばＹ形）の金属製接地容器２を立設し、この接地容器２の分岐した一端側に、遮断部３を収納したブッシング兼用の碍管４を絶縁スペーサ５を介して連結してある。遮断部３は金属製接地容器２に収納した遮断部接続導体７内の遮断部駆動用絶縁棒８を介して、架台１に設けた遮断部操作装置９に接続されている。一方、金属製接地容器２の他端側には、断路部１０を収納した管状接地容器１１が絶縁スペーサ１２を介して連結され、管状接地容器１１の表面側には断路部操作装置１３が設けてある。さらに管状接地容器１１の先端には、ブッシング導体１４を収納した碍管１５が連結してある。
【０００５】
このような構成の複合型ガス絶縁開閉装置においては、遮断部３側および断路部１０側にそれぞれ操作装置９，１３を配置し、また遮断部３と断路部１０との接続を接地容器２内で行うため、接地容器２を分岐させる必要がある。さらに、遮断部駆動用絶縁棒８の絶縁距離確保のため、分岐を有する接地容器２が大型化せざるを得ない。また、金属製の接地容器２，１１を有していることから絶縁スペーサ５，１２を配置する必要があり、そのため全体重量が大きくなるとともにコストが高くなる。
【０００６】
【発明が解決しようとする課題】
上述した複合型ガス絶縁開閉装置においては、遮断部および断路部にそれぞれ駆動装置を配置すること、分岐を有する金属製接地容器が大型であることから全体重量が大きくなり、それにより安価なものを提供できない等の問題があった。
【０００７】
本発明はかかる従来の事情に対処するためになされたものであり、小型・軽量化が図れ、かつ安価な複合型ガス絶縁開閉装置を提供することを目的とする。
【０００８】
【課題を解決するための手段】
上記の目的を達成するため、本発明では、絶縁支持構造物の一端に操作装置を接続し、かつ、前記金属容器の一端に少なくとも前記駆動連結部に連動して通電部の接点が開閉される遮断部を収納した一の絶縁構造物と断路部を収納した他の絶縁構造物とを接続した複合型ガス絶縁開閉装置において、前記絶縁支持構造物内に前記遮断部および前記断路部を駆動する絶縁棒を複数本配置する一方、前記絶縁支持構造物の一端に接続された操作装置は、遮断部操作装置と断路部操作装置からなることを特徴とする複合型ガス絶縁開閉装置を提供する。
【０００９】
上記構成の複合型ガス絶縁開閉装置によれば、遮断部または断路部を駆動させる絶縁棒を単一の絶縁支持構造物内に収納したことにより、遮断部または断路部の操作装置が共通の容器に収納でき、遮断部または断路部駆動のための動作方向を変換する金属容器を小型化できる。したがって、全体重量の軽減が図れるとともに、低コスト化も図れるようになる。
【００１０】
なお、本発明の複合型ガス絶縁開閉装置においては、絶縁棒のガイド用支持体を絶縁支持構造物内に配置することが望ましい。
【００１１】
これにより、絶縁棒を駆動する際、遮断部駆動用絶縁棒または断路部駆動用絶縁棒の干渉をガイド用支持体によって回避することができ、各絶縁棒の動作方向と異なる方向へのずれ防止、および遮断部または断路部の動作時に絶縁棒に作用する力を分散させることができる。
【００１２】
【発明の実施の形態】
以下、本発明に係る複合型ガス絶縁開閉装置の実施形態を図１および図２を参照して説明する。
【００１３】
図１は、本発明の一実施形態による複合型ガス絶縁開閉装置の略全体を断面で示す構成図である。
【００１４】
この図１に示すように、本実施形態の複合型ガス絶縁開閉装置は、適宜高さの架台２１上に機構部収納箱２２を設置し、この機構部収納箱２２内に断路部操作装置２３ａおよび遮断部操作装置２４ａを収納してある。
【００１５】
機構部収納箱２２上には例えば碍管からなる１本の絶縁支持構造物２３が直立状態で設けられ、その上端に例えば断面六角状の金属容器２４が連通接続されている。絶縁支持構造物２３の内部には断路部駆動用絶縁棒２５および遮断部駆動用絶縁棒２６が所定の間隔で平行に収納されている。
【００１６】
また、これらの断路部駆動用絶縁棒２５および遮断部駆動用絶縁棒２６の上端には、金属容器２４内に配置した遮断部駆動方向変換器２７および断路部駆動方向変換器２８がそれぞれ連結されている。遮断部駆動方向変換器２７は例えばカム構造とされ、軸２７ａを中心として回動できる。また、断路部駆動方向変換器２８は例えばＶ形レバーとされ、軸２８ａを中心として回動できる。
【００１７】
金属容器２４には、それぞれ碍管からなる遮断部収納絶縁構造物２５ａおよび断路部絶縁支持構造物２６ａが斜立し、これらは例えば横方向から見て互いにＶ形に配置されている。そして、遮断部収納絶縁構造物２５ａ内には遮断部２９が、また断路部絶縁支持構造物２６ａには断路部３０がそれぞれ収納されている。
【００１８】
そして、遮断部２９には遮断部操作装置２４ａによる操作力が、遮断部駆動用絶縁棒２６および遮断部駆動方向変換器２８を介して伝達され、遮断部駆動方向変換器２８では遮断部２９が動作する方向の力の向きを変える作用が行なわれる。同様に、断路部３０には断路部操作装置２３ａによる操作力が、断路部駆動用絶縁棒２５および断路部駆動方向変換器２７を介して伝達され、断路部駆動方向変換器２７では断路部３０が動作する方向の力の向きを変える作用が行なわれる。
【００１９】
このような構成の複合型ガス絶縁開閉装置によると、同一の機構部収納箱２２内に断路部操作装置２３ａと遮断部操作装置２４ａとが収納され、かつ同一の絶縁支持構造物２３に断路部駆動用絶縁棒２５と遮断部駆動用絶縁棒２６とが収納され、さらに同一の金属容器２４内で遮断部２９および断路部３０の電気的接続を行なう各駆動方向変換が実施される。したがって、各絶縁棒２５，２６の絶縁距離を充分確保するために長い接地容器から断路部接続用の分岐を設ける必要がなく、構成の小型化および軽量化が図れ、しかも低コストの複合型ガス絶縁開閉装置を提供することができる。
【００２０】
図２は、本発明の他の実施形態による複合型ガス絶縁開閉装置の略全体を断面で示す構成図である。
【００２１】
この図２に示す複合型ガス絶縁開閉装置は、全体構成については図１に示した一実施形態のものと略同様であるが、絶縁支持構造物２３の上端、例えば金属容器２４の下部に、遮断部駆動用絶縁棒ガイド３１および断路部駆動用絶縁棒ガイド３２を設け、遮断部駆動用絶縁棒２６および断路部駆動用絶縁棒２５の各上端部を個別的に案内するようにしてある。すなわち、各絶縁棒ガイド３１，３２は例えばリングブラケット状に構成され、それぞれリング部分に遮断部駆動用絶縁棒２６および断路部駆動用絶縁棒２５が挿通されている。その他の構成については、図１に示したものと同様であるから、図２の対応個所に図１と同一の符号を付して説明を省略する。
【００２２】
このような構成の図２に示す複合型ガス絶縁開閉装置によると、絶縁支持構造物８の上端位置で、遮断部駆動用絶縁棒２６および断路部駆動用絶縁棒２５が個別的にガイドされ、互いの干渉が回避されるため、絶縁棒動作時の駆動方向からのずれを防止できるとともに、遮断部２９および断路部３０の動作時に各絶縁棒２５，２６に作用する力を分散させることができる。したがって、前記第１実施形態の効果に加え、動作のより一層の確実性が図れる等の効果が奏される。
【００２３】
なお、この他の実施形態においては、遮断部駆動用絶縁棒ガイド３１および断路部駆動用絶縁棒ガイド３２の両方を設けたが、いずれか一方のガイドだけを設けてもよい。また、各ガイド３１，３２を絶縁支持構造物２３の上端側に設けたが、下端側に設けてもよく、さらに両端に設けてもよい。
【００２４】
また、上記の各実施形態では遮断部と断路部とを有する構成について述べたが、このような構成に限定されない。すなわち、絶縁支持構造物の一端に操作装置を接続し、他端に操作装置により駆動する駆動連結部を収納した金属容器を接続し、金属容器の一端に少なくとも二つ以上の駆動連結部に連動して通電部の接点が開閉される遮断部または断路部を収納した絶縁構造物を接続した複合型ガス絶縁開閉装置であって、絶縁支持構造物内に遮断部または断路部を駆動する絶縁棒を複数本配置する構成のものであれば、種々の態様で実施することができる。
【００２５】
【発明の効果】
以上で説明したように、本発明に係る複合型ガス絶縁開閉装置によれば、遮断部および断路部の操作装置を共通の箱内に収納することにより、小型・軽量で、かつ安価な複合型ガス絶縁開閉装置が提供できる。
【図面の簡単な説明】
【図１】本発明に係る複合型ガス絶縁開閉装置の一実施形態を示す構成図。
【図２】本発明に係る複合型ガス絶縁開閉装置の他の実施形態を示す構成図。
【図３】従来の複合型ガス絶縁開閉装置を示す構成図。
【符号の説明】
２２  機構部収納箱
２３  絶縁支持構造物
２３ａ  断路部操作装置
２４  金属容器
２４ａ  遮断部操作装置
２５  断路部駆動用絶縁棒
２５ａ  遮断部収納絶縁構造物
２６  遮断部駆動用絶縁棒
２６ａ  断路部収納絶縁構造物
２７  断路部駆動方向変換器
２８  遮断部駆動方向変換器
２９  遮断部
３０  断路部
３１  遮断部駆動用絶縁棒ガイド
３２  断路部駆動用絶縁棒ガイド
【図１】
0004334130.tif 000002
【図２】
0004334130.tif 000003
【図３】
0004334130.tif 000004